(57)【要約】【課題】    脚の不自由な障害者、車椅子生活をされている方々の自由に遠くへ出かけて行きたい、行きたいけど道路事情、体力の関係で出かけていけない自転車のように走れる乗り物が有ったらいいなどの不都合を解決する事。  【解決手段】本発明の遥動式自転車にすることにより、ハンドル１２を手で持って前後に揺動して走行する乗り物なので脚力は必要としないため脚の不自由な障害者、車椅子生活されている方々の自由に遠くへ出かけて行きたい、行きたくても道路事情、体力の関係で出かけて行けない、自転車のように走れる乗り物が有ったらいいなどの課題を解決する。【選択図】    図７
2011088538.tif 000002
【特許請求の範囲】
【請求項１】
ハンドルを前後に揺動することにより、ラチェット機構を介してギヤボックス内の大小のギヤ二個の組み合わせの回転方向転換を行い、小ギヤに固定された車軸に車輪を取り付けて前進走行を可能とし、かつハンドルの舵取りも可能にし、ハンドルを前後に揺動した時の腕力の負荷を加減出来るように、ハンドル支持体を上下に伸縮可能としたことを特徴とする揺動式自転車。       
【発明の詳細な説明】
【技術分野】
【０００１】
本発明は、揺動式自転車に関するものである。ハンドル１２を両手で持って前後に揺動することによりラチェット機構の働きとギヤボックス１内のギヤの回転方向転換により前進走行させられるようにすると共にハンドルの舵取りも左右自在に出来るようにしてハンドル支持体１３も上下に伸縮できるようにしたものである。
【背景技術】
【０００２】
従来から、手漕ぎ式乗り物として障害者用の車椅子等が上げられる。手漕ぎ式乗り物の例としては特許文献１に開示されているものもある。
【特許文献１】特開２００７−８３８１１号公報
【発明の開示】
【発明が解決しようとする課題】
【０００３】
しかしながら、従来の脚漕ぎ自転車は健常者なら自由に乗り回せて遠くへも出かけて行けるが、車椅子生活している人、脚の不自由な障害者の人達には乗ることが出来ない。しかし、そのような車椅子生活している人たちでも健常者と同じ様に遠くへ自由に出かけて行きたい、行きたくても車椅子では道路事情もあるし体力も要るし自転車のように道路を走れない。でも、自転車のようにスイスイ走れる乗り物が有ったらいいのにと常に思う。自由に走りたい自由に遠くへ行きたいけどいけないなどの不都合さを解決することを課題とする。  
【課題を解決するための手段】
【０００４】
この課題を解決するための請求項１の発明は、ハンドルを前後に揺動することにより、ラチェット機構を介してギヤボックス内の大小のギヤ二個の組み合わせの回転方向転換を行い、小ギヤに固定された車軸に車輪を取り付けて前進走行を可能とし、かつハンドルの舵取りも可能にし、ハンドルを前後に揺動した時の腕力の負荷を加減出来るように、ハンドル支持体を上下に伸縮可能としたことを特徴とする揺動式自転車。
【発明の効果】
【０００５】
本発明により、脚に障害のある人、車椅子生活の人などの自由に走りたい自由に遠くへ行きたいけどいけない、などの不都合は起きず本発明は腕力を使ってハンドル１２を揺動して乗る乗り物なので脚の不自由な人にはこの上ない乗り物といえる。
【発明を実施するための最良の形態】
【０００６】
図１は、ギヤボックス１内に大小二個のギヤを組み合わせているのを特徴とする、ギヤとギヤの回転方向転換と回転速度を増すようにするためである。ラチェット４を同図のようにAギヤの回転が矢印の方向になるようにセットし図２のようにハンドル支持体１３を矢印方向に出す、引くことを繰り返し揺動することによりラチェット機構が働き同図のようにギヤとギヤの方向転転換と回転速度が増すようになる。よって、本発明である揺動式自転車を前進走行させられることと走行速度が増すようにさせられる。                
【０００７】
図２は、変速体１３とラチェット４とギヤボックス１と固定台中芯１０までを一体化したことを特徴とする。揺動式自転車のハンドル支持体１３からギヤボックス１を含め本体フレーム２１までの左側面図である。同図に示すように、ハンドル支持体１３を矢印方向に出す、引くことを繰り返し揺動して揺働式自転車を走らせハンドル１２の舵取りを左右自在にさせられるようにしたことである。
【０００８】
実施例として、本発明である揺動式自転車に乗って平坦地走行から坂道にかかった場合、変速機付き自転車がギヤチェンジするのと同じように、変速体１３を上に伸ばしてハンドル１２を揺動すればテコの原理で軽く上れる、途中で止まった場合でもラチェット機構の働きによって後ずさりすることはなく安全である。腕を前後に揺動して走行する乗り物なので運動不足も解消できる。それから本発明の車輪２３は、図７に示すように構造上、前二輪にすることが前程で、後は一輪の三輪車であるが場合によっては後も二輪にして４輪車にすることも可能である。                                    
【産業上の利用可能性】
【０００９】
従来の脚漕ぎ自転車と違い、脚力は必要としないで腕力だけで走行させる乗り物なので脚の不自由な障害者のための乗り物として利用でき医療関係、福祉関係に大いに役立つものと思われ産業界にとって見れば企業発展の絶好の時であると思われる。三輪車なので止めておいても倒れることはないので車椅子代わりにもなるし、縮小して作れば子供用三輪車の代わりにもなり工業的にも量産することが可能であるため産業上の利用性は大いに期待できる。揺動式自転車を提供する。
【図面の簡単な説明】
【００１０】
【図１】本発明のハンドル支持体とギヤボックスの左側面内部構造図である。
【図２】本発明のハンドル支持体とギヤボックスの左側面図である。
【図３】本発明のハンドル支持体とギヤボックスの正面図である。
【図４】本発明の平面図である。
【図５】本発明の左側面図である。
【図６】本発明の正面図である。
【図７】本発明の立体図である。
【図８】ギヤボックスを固定する固定台中芯を固定台外軸に挿入する分解斜視図である。
【符号の説明】
【００１１】
１  ギヤボックス                
２  Ａギヤ                                                    
３  Ｂギヤ
４  ラチェット
５  ギヤ軸
６  六角ナット
７  固定台
８  固定台立上
９  固定ネジ
１０  固定台中芯
１１  固定台外軸    
１２  ハンドル
１３  ハンドル支持体  
１４  伸縮調整回
１５  抜ドメ
１６  調整ミゾ
１７  パッキン
１８  ベアリング
１９  ギヤ軸受
２０  車軸
２１  本体フレーム
２２  足掛
２３  車輪
２４  椅子
２５  抜防止ネジ
２６  ネジ頭
２７  路面
【図１】
2011088538.tif 000003
【図２】
2011088538.tif 000004
【図３】
2011088538.tif 000005
【図４】
2011088538.tif 000006
【図５】
2011088538.tif 000007
【図６】
2011088538.tif 000008
【図７】
2011088538.tif 000009
【図８】
2011088538.tif 000010
【手続補正書】
【提出日】平成21年12月15日(2009.12.15)
【手続補正１】
【補正対象書類名】特許請求の範囲
【補正対象項目名】請求項１
【補正方法】変更
【補正の内容】
【請求項１】
ハンドルを前後に揺動することにより、ラチェット機構を介してギヤボックス内の大小のギヤ二個の組み合わせの回転方向転換を行い、小ギヤに固定された車軸に車輪を取り付けて前進走行を可能として、ハンドル支持体からラチェットとギヤボックスを通して固定台中芯まで一本化してあり、本体フレームより上部に突き出ている固定台外軸の中へ固定台中芯を挿入することによりハンドルの中心支点軸になり、舵取りを容易にして、ハンドルを前後に揺動した時の腕力の負荷を加減出来るようにハンドル支持体を上下に伸縮可能としたことを特徴とする揺動式自転車。
【手続補正２】
【補正対象書類名】明細書
【補正対象項目名】０００４
【補正方法】変更
【補正の内容】
【０００４】
この課題を解決するための請求項１の発明は、ハンドル１２を前後に揺動することによりラチェット機構を介してギヤボックス１内の大小のギヤ二個の組み合わせの回転方向転換により、小ギヤに固定された車軸２０に車輪２３を取り付けて前進走行を可能として、ハンドル支持体１３からラチェト４とギヤボックス１を通して固定台中芯１０まで一本化してあるのでハンドル１２の中心支点軸となり、図２に示すように固定台中芯１０を本体フレーム２１より上部に突き出ている固定台外軸１１の中へ挿入して本体フレームの下部より抜防止ネジ２５でとめれば人が乗った場合でも固定台外軸１１から固定台中芯１０が抜けることなくハンドル１２の舵取りも容易にして、ハンドル１２を前後に揺動した時の腕力の負荷を加減出来るようにハンドル支持体１３を上下に伸縮可能にしたことを特徴とする揺動式自転車。    
【手続補正書】
【提出日】平成22年2月1日(2010.2.1)
【手続補正１】
【補正対象書類名】特許請求の範囲
【補正対象項目名】請求項１
【補正方法】変更
【補正の内容】
【請求項１】
ハンドル１２を前後に揺動することにより、ラチェット４を介してギヤボックス１内の大小のギヤ（２,３）二個の組み合わせの回転方向転換を行い、前記小ギヤ３に固定された車軸２０に車輪２３を取り付けて前進走行を可能とした揺動式自転車であって、前記ハンドルの支持体１３から、前記ラチェット4と前記ギヤボックス１を通して、前記ギヤボックス１を支持する固定台７の固定台中芯１０までを一本化して配置し、本体フレーム２１に、上方に突出する固定台外軸１１を設け、前記固定台外軸１１の中へ前記固定台中芯１０を挿入して軸支し、前記ハンドル１２を前後に揺動した時の腕力の負荷を加減出来るように前記ハンドルの支持体１３を上下に伸縮可能としたことを特徴とする揺動式自転車。
【手続補正２】
【補正対象書類名】明細書
【補正対象項目名】０００４
【補正方法】変更
【補正の内容】
【０００４】
この課題を解決するための請求項１の発明は、ハンドル１２を前後に揺動することにより、ラチェット４を介してギヤボックス１内の大小のギヤ（２,３）二個の組み合わせの回転方向転換を行い、前記小ギヤ３に固定された車軸２０に車輪２３を取り付けて前進走行を可能とした揺動式自転車であって、前記ハンドルの支持体１３から、前記ラチェット4と前記ギヤボックス１を通して、前記ギヤボックス１を支持する固定台７の固定台中芯１０までを一本化して配置し、本体フレーム２１に、上方に突出する固定台外軸１１を設け、前記固定台外軸１１の中へ前記固定台中芯１０を挿入して軸支し、前記ハンドル１２を前後に揺動した時の腕力の負荷を加減出来るように前記ハンドルの支持体１３を上下に伸縮可能としたことを特徴とする揺動式自転車。